(57)【特許請求の範囲】
【請求項１】
スラブ貫通孔を閉塞する養生カバーであって、該養生カバーは、所要大きさのカバー本体と、該カバー本体の底面に配設される軸部と、該軸部に遊挿されると共に下方向に突出して回動する複数の且つ隣接状態の回動体とを少なくとも備えることを特徴とするスラブ貫通孔の養生カバー。
【請求項２】
軸部は、カバー本体の底面に十字状に配設されていることを特徴とする請求項１に記載のスラブ貫通孔の養生カバー。
【請求項３】
回動体は、前記軸部が遊挿する軸穴を中心にして一方に突出部が形成されていることを特徴とする請求項１又は２に記載のスラブ貫通孔の養生カバー。
【請求項４】
カバー本体は、強化プラスチックで形成されていることを特徴とする請求項１、２又は３に記載のスラブ貫通孔の養生カバー。
【請求項５】
カバー本体の表面には、注意を喚起するための着色又は／及び文言が表示されていることを特徴とする請求項１、２、３又は４に記載のスラブ貫通孔の養生カバー。
【発明の詳細な説明】
【０００１】
【発明の属する技術分野】
本発明は、建築現場において、スラブに設けた配管等のための貫通孔を一時的に塞いでおくための、スラブ貫通孔の養生カバーに関するものである。
【０００２】
【従来の技術】
従来、建築現場のスラブには、図９に示すように、スラブ１を貫通して配管等をするための貫通孔２を予め設けておく。
【０００３】
貫通孔２は、所定の配管等を行ってその管と貫通孔２との隙間を穴埋めするまでは開口状態にあるので、貫通孔２から工具や建築材料等を落下させたり或いは作業員が躓いたりしないように、貫通孔２の上に所要大きさの板材３を載せて養生している。
この板材３は、それぞれの貫通孔２の大きさに対応させて、現場で木の板を適宜に切断して形成したものである。
【０００４】
【発明が解決しようとする課題】
この従来例の場合においては、木の板を現場で一々切断して板材３を形成するので、作業手間がかかって煩雑であるという欠点がある。
また、板材３は、それぞれの貫通孔２の大きさに対応させて形成することから、大きさの異なる他の貫通孔には用いることがなく、結果的に板材３の再利用がなされていないのが現状であり、不経済であると共に資源の無駄が生じているという欠点がある。
【０００５】
更に、板材３は、貫通孔２の上に単に載せるだけなので、不用意に衝撃が加わってずれるおそれがあるという欠点もある。
【０００６】
従って、従来例における場合においては、現場で一々板材を切断する作業手間をなくすことと、板材を種々の大きさの貫通孔に配設できるようにして板材の再利用を図ること、及び板材が貫通孔から不用意にずれることなく常に確実に配設されていることに解決しなければならない課題を有している。
【０００７】
【課題を解決するための手段】
前記従来例の課題を解決する具体的手段として本発明は、スラブ貫通孔を閉塞する養生カバーであって、該養生カバーは、所要大きさのカバー本体と、該カバー本体の底面に配設される軸部と、該軸部に遊挿されると共に下方向に突出して回動する複数の且つ隣接状態の回動体とを少なくとも備えることを特徴とするスラブ貫通孔の養生カバーを提供するものである。
【０００８】
また、前記軸部は、カバー本体の底面に十字状に配設されている構成としたものであり、そして、前記回動体は、前記軸部が遊挿する軸穴を中心にして一方に突出部が形成されている構成としたものであり、更に、前記カバー本体は、強化プラスチックで形成されている構成としたものであり、また、前記カバー本体の表面には、注意を喚起するための着色又は／及び文言が表示されている構成としたものである。
【０００９】
本発明に係るスラブ貫通孔の養生カバーにおいては、カバー本体の底面を下にして貫通孔の上に載せれば、貫通孔の上に位置する回動体が下に突出する状態で回動して貫通孔の縁部に係止するので、養生カバーに不用意な衝撃が加わってもずれない。
また、養生カバーは、種々の大きさの貫通孔に対応して配設できるので、再利用を図ることができる。
更に、従来例のように現場で板材を切断する必要がなく作業効率が向上すると共に、養生カバーの貫通孔への配設も極めて簡単である。
【００１０】
【発明の実施の形態】
次に、本発明の実施の形態について図面を参照しながら説明する。まず、図１及び図２において、符号１１はスラブ貫通孔の養生カバーを示し、この養生カバー１１は、カバー本体１２と、このカバー本体１２の底面に十字状に配設される軸部１３と、この軸部１３に遊挿される複数の且つ隣接状態の回動体１４、１４…とから構成される。
【００１１】
カバー本体１２は、全体的に強化プラスチックで形成されると共に、例えば一辺が３００ｍｍ程度の略正方形状の板材１５と、この板材１５の四辺の縁部に沿って垂直に設けられる所要幅の縁片１６とからなる。
【００１２】
カバー本体１２の表面には、注意を喚起するための着色１７及び文言１８が表示されており、配設された養生カバー１１の下に貫通孔があることを一目で認識できるようになっている。
【００１３】
軸部１３は、それぞれ対向する縁片１６、１６の間に渡って十字状に配設されており、軸部１３の十字状の交差位置には、カバー１９が設けられている。このカバー１９は、交差位置に隣接する４つの回動体１４がそれぞれ邪魔し合わないでスムーズに回動できるように所要の間隔を開けるために設けたものである。
尚、カバー１９に替えて同位置に中央固定部（図示せず）を設けておき、その中央固定部から四辺の縁片１６に渡って軸部１３をそれぞれ配設してもよいことは勿論である。
【００１４】
回動体１４は、図３及び図４に示すように、軸部１３が遊挿する軸穴１４ａを中心にして、一方に突出部１４ｂが形成されている。そして、この突出部１４ｂの重量によって、回動体１４は常に突出部１４ｂが下方向に突出する状態で回動するようになっている。
また、回動体１４の大きさは、一例として軸部方向に沿った幅が約２５ｍｍ程度であり、側面の長手方向の長さが約６０ｍｍ程度であり、短手方向の長さが約３０ｍｍ程度である。
【００１５】
次に、以上のような構成のスラブ貫通孔の養生カバー１１の使用方法について説明する。まず、図５に示すように、養生カバー１１の底面を下にして大径の貫通孔２０の上に載せる。この時、貫通孔２０の上に位置する回動体１４は突出部１４ｂが下に突出する状態（図３に示す状態）で回動して貫通孔２０の縁部２０ａに係止する。また、スラブ２１の上に位置する回動体は１４は突出部１４ｂがカバー本体１２内に収納された状態（図４に示す状態）にある。
【００１６】
つまり、図６に示すように、回動体１４の突出部１４ｂが貫通孔２０の縁部２０ａに係止しているので、仮に養生カバー１１へ不用意な衝撃が加わってもずれないのである。
【００１７】
また、図７に示すように、養生カバー１１を中径の貫通孔２２の上に載せた場合には、スラブ２１の上に位置する回動体１４（図７において左右２個ずつ）の突出部１４ｂがカバー本体１２内に収納された状態にあり、貫通孔２２の上に位置する回動体１４は突出部１４ｂが下に突出する状態で回動する。
【００１８】
更に、図８に示すように、養生カバー１１を小径の貫通孔２３の上に載せた場合には、スラブ２１の上に位置する回動体１４（図８において左右３個ずつ）の突出部１４ｂがカバー本体１２内に収納された状態にあり、貫通孔２３の上に位置する回動体１４は突出部１４ｂが下に突出する状態で回動する。
このように、養生カバー１１は、回動体１４の突出部１４ｂが貫通孔の大きさに対応して下に突出するので、種々の大きさの貫通孔に対応して配設できるのである。
【００１９】
【発明の効果】
以上説明したように本発明に係るスラブ貫通孔の養生カバーは、スラブ貫通孔を閉塞する養生カバーであって、該養生カバーは、所要大きさのカバー本体と、該カバー本体の底面に配設される軸部と、該軸部に遊挿されると共に下方向に突出して回動する複数の且つ隣接状態の回動体とを少なくとも備えることによって、カバー本体の底面を下にして貫通孔の上に載せれば、貫通孔の上に位置する回動体が下に突出する状態で回動して貫通孔の縁部に係止するので、養生カバーに不用意な衝撃が加わってもずれない。
また、養生カバーは、種々の大きさの貫通孔に対応して配設できるので、再利用を図ることができる。
更に、従来例のように現場で板材を切断する必要がなく作業効率が向上すると共に、養生カバーの貫通孔への配設も極めて簡単であるという種々の優れた効果を奏する。
【００２０】
また、軸部は、カバー本体の底面に十字状に配設されていることによって、軸部に遊挿される回動体がカバー本体の底面に十字状に設けられることとなる。従って、回動体が貫通孔の縁部に対して十字状に係止することとなるので、養生カバーの貫通孔への配設状態が安定するという優れた効果を奏する。
【００２１】
そして、回動体は、前記軸部が遊挿する軸穴を中心にして一方に突出部が形成されていることによって、この突出部の重量により、回動体は常に突出部が下方向に突出する状態で回動することとなる。従って、養生カバーの底面を下にして貫通孔の上に載せるだけで、貫通孔の上に位置する回動体が下に突出する状態で回動して貫通孔の縁部に係止するという優れた効果を奏する。
【００２２】
更に、カバー本体は、強化プラスチックで形成されていることによって、養生カバーの上に人が乗っても、カバー本体が割れたりヒビが入ったりしないという優れた効果を奏する。
【００２３】
また、カバー本体の表面には、注意を喚起するための着色又は／及び文言が表示されていることによって、養生カバーの下に貫通孔があることを一目で認識できるので、安全性が一層向上するという優れた効果を奏する。
【図面の簡単な説明】
【図１】本発明に係るスラブ貫通孔の養生カバーの平面図である。
【図２】本発明に係るスラブ貫通孔の養生カバーの底面図である。
【図３】軸部に遊挿された回動体が下方向に突出して回動した状態を説明する説明図である。
【図４】軸部に遊挿された回動体がカバー本体内に収納された状態で回動した状態を説明する説明図である。
【図５】大径のスラブ貫通孔の上に養生カバーを載せて養生している状態を示す断面図である。
【図６】図５の要部を示す拡大断面図である。
【図７】中径のスラブ貫通孔の上に養生カバーを載せて養生している状態を示す断面図である。
【図８】小径のスラブ貫通孔の上に養生カバーを載せて養生している状態を示す断面図である。
【図９】スラブ貫通孔の上に板材を載せて養生している状態を示す従来例の断面図である。
【符号の説明】
１    スラブ
２    貫通孔
３    板材
１１  スラブ貫通孔の養生カバー
１２  カバー本体
１３  軸部
１４  回動体
１４ａ軸穴
１４ｂ突出部
１５  板材
１６  縁片
１７  着色
１８  文言
１９  カバー
２０  貫通孔
２０ａ縁部
２１  スラブ
２２  貫通孔
２３  貫通孔
【図１】
0003904804.tif 000002
【図２】
0003904804.tif 000003
【図３】
0003904804.tif 000004
【図４】
0003904804.tif 000005
【図５】
0003904804.tif 000006
【図６】
0003904804.tif 000007
【図７】
0003904804.tif 000008
【図８】
0003904804.tif 000009
【図９】
0003904804.tif 000010